(57)【要約】【課題】  前面カバーに形成した模様が暗くなってしまうのを避け得、立体的に見え得る時計を提供すること【解決手段】  時計１は、カバー受け２０と、該カバー受け２０上に外周縁部４２が載置された前面カバー４０とを有し、前面カバー４０がカバー受け２０に重なる外周縁部４２に半透光性のデザイン模様４３を備え、前面カバー４０の外周縁部４７のうちカバー受け２０に対面する背面部４１とカバー受け２０のうち前面カバー４０の背面部４１に対面する前面部２３との間に隙間Ｇが形成されている。半透光性のデザイン模様４３は、例えば、前面カバー４０の前記背面部に形成された凹凸４３からなる。隙間Ｇは、典型的には、カバー受け２０の内周面２７まで延び、カバー受け２０の内周面から外向きに遠ざかるほど隙間Ｇが小さくなるように、カバー受け２０の前面部２３が前面カバーの前記背面部に対して傾斜している。【選択図】図１
2005189153.tif 000002
【特許請求の範囲】
【請求項１】
カバー受けと、
該カバー受け上に外周縁部が載置された前面カバーと
を有する時計であって、
前面カバーが、カバー受けに重なる前記外周縁部に模様を備え、
前面カバーの前記外周縁部のうちカバー受けに対面する背面部とカバー受けのうち前面カバーの前記背面部に対面する前面部との間に、カバー受けの内周面から外向きに遠ざかるほど小さくなるように、カバー受けの前記前面部が前面カバーの前記背面部に対して傾斜した隙間が形成されている時計。
【請求項２】
前記模様が前面カバーの前記背面部に形成された凹凸からなる請求項１に記載の時計。
【請求項３】
前記隙間がカバー受けの内周面まで延びている請求項１又は２に記載の時計。
【請求項４】
カバー受けの前記前面部がカバー受けの径方向に沿って実質的に直線的に傾斜している請求項１から３までのいずれか一つの項に記載の時計。
【請求項５】
カバー受けの前記前面部が前方に対して凹状又は凸状に湾曲した湾曲面からなる請求項１から３までのいずれか一つの項に記載の時計。
【請求項６】
前記カバー受けが時計枠体を兼ねている請求項１から５までのいずれか一つの項に記載の時計。
【請求項７】
前記模様が、サンドブラスト処理による立体味のある半透光性のデザイン模様である請求項１から６までのいずれか一つの項に記載の時計。
【発明の詳細な説明】
【技術分野】
【０００１】
本発明は時計に係り、より詳しくは、掛時計の如きクロックに係る。
【背景技術】
【０００２】
図４に一部を断面で示したように、カバー受けとして働く枠１１０と該枠１１０上に載置・固定された前面カバーないしガラス１２０とを有する時計１００は知られている。この種の時計１００では、ガラス１２０は、枠１１０の前面１１１上に載置固定される外周縁部１２１のうち枠１１０に対面する背面部１２２に凹凸模様１２３を備える。より詳しくは、ガラス１２０は、厚いガラス板からなり、該ガラス１２０の凹凸模様１２３は、該ガラス１２０の一方の表面（背面）１２４にブラスト等により形成された彫刻による模様１２３からなる。厚いガラス板１２０は、背面１２４が枠１１０の前面１１１に当接するように該前面１１１上に載置され、ガラス板１２０の孔１２５に挿通したボルト１３１等により枠１１０に固定される（非特許文献１）。なお、枠１１０は、止めネジ１３２により機械取付け板１０１に固定され、該機械取付け板１０１と枠１１０との間には、文字板１０２が配置されている。
【０００３】
しかしながら、この非特許文献１の第３頁の下段において「ＬＳ２０２Ｌ」や「ＬＳ２０２Ｍ」として開示されている時計では、図４からもわかるように、枠１１０の前面１１１がガラス板１２０の背面１２４のうち彫刻部分（凹凸模様）１２３のまわりの表面部分１２６に対して実質的に全域で密接されるので、正面からのＶ方向の光によって彫刻部分１２３の影がそのままの形で枠１１０の前面１１１の対向領域１１２上に映り込むだけであるから、該対向領域１１２に暗い影ができ、彫刻部分１２３の背面側が単に暗くなる。従って、前面側からＶ方向に見た場合、彫刻部分１２３が該彫刻部分１２３の周囲に対して暗い模様にしか見えない。彫刻部分１２３自体に凹凸があっても、当該部分１２３の全体が暗いことから、立体感が乏しくなる。例えば、彫刻１２３が花の形の場合、花の部分だけが暗く見えたり、花に立体感がなく平面的に見える。
【０００４】
また、掛時計などでは、通常、薄く見えることが好まれるけれども、時計１００では、枠１１０の内周面１１３は通常影になることから、その影が時計の厚さを感じさせ、特に、この時計１００では、文字板１０２とガラス１２０との間の時刻表示針の回転領域１４０に要求される厚さが枠１１０の内周面１１３の立ち上がり量（高さ）ＨＰになっていることから、立ち上がり量ＨＰが大きく、厚さを感じさせてしまうという問題もあった。
【非特許文献１】製品カタログ「ＳＥＩＫＯ  ＰＲＥＭＩＵＭ  ２００２年９〜11月」セイコークロック株式会社（第３頁の下段）
【発明の開示】
【発明が解決しようとする課題】
【０００５】
本発明は前記諸点に鑑みなされたものであって、その目的とするところは、前面カバーに形成した模様が暗くなってしまうのを避け得、立体的に見え得る時計を提供することにある。
【課題を解決するための手段】
【０００６】
本発明の時計は、前記目的を達成すべく、カバー受けと、該カバー受け上に外周縁部が載置された前面カバーとを有する時計であって、前面カバーが、カバー受けに重なる前記外周縁部に模様を備え、前面カバーの前記外周縁部のうちカバー受けに対面する背面部とカバー受けのうち前面カバーの前記背面部に対面する前面部との間に、カバー受けの内周面から外向きに遠ざかるほど小さくなるように、カバー受けの前記前面部が前面カバーの前記背面部に対して傾斜した隙間が形成されている。
【０００７】
本発明の時計では、「前面カバーの外周縁部のうちカバー受けに対面する背面部とカバー受けのうち前面カバーの前記背面部に対面する前面部との間に隙間が形成されている」ので、外光の一部が前面カバーの外周縁部のうちカバー受けの前面部に対面する背面部と該背面部に対面するカバー受けの前面部との間に形成された隙間に入り込み、「前面カバーが、カバー受けに重なる前記外周縁部に模様を備え」るので、隙間に入り込んだ外光の一部がカバー受けの前面部で反射されて前面カバーの外周縁部の模様を背面側から照明し得るから、模様が明るく視認され得るようになる。
【０００８】
また、前面カバーの外周縁部のうちカバー受けに対面する背面部とカバー受けのうち前面カバーの前記背面部に対面する前面部との間に隙間があることから、正面からの外光が前面カバーを透過してカバー受けの前面部に模様に応じた明暗等（着色又は無色）の模様ないしパターンを映すので、斜め前方から模様のまわりの部分を眺めた場合、前面カバーの模様が背後の明暗等の模様ないしパターンに対して浮き出しているように見えるから、模様が浮き出しているように立体的に見える。なお、この時計では、前述の通りカバー受けの前記前面部が外光の一部によって照明され得るので、模様の背後の明暗等の模様が比較的明るく見え、模様の立体的な視覚効果が確実に得られ易い。
【０００９】
本発明の時計では、カバー受けの内周面から外向きに遠ざかるほど前記隙間が小さくなるように、カバー受けの前記前面部が前面カバーの前記背面部に対して傾斜しているので、前面カバーを透過しカバー受けの前記前面部に当たった光の反射光が前面カバーの模様を前面側に向かって照明し易くなるから、パターンが明るくなり易い。また、前記傾斜により、模様がより浮き出ているように見え、模様の立体的な視覚効果が顕著となる。
【００１０】
この明細書において、前面カバーは、文字板上の文字や文字板の手前側の時刻表示針等が視認可能なように、文字板及び時刻表示針の回転領域を蔽うものを指し、その材料が典型的にはガラスからなるけれども、透光性である限り、樹脂など他の材料でできていてもよい。
【００１１】
本発明の時計では、隙間がカバー受けの内外周の間の中間部にのみ形成されていてもよいけれども、典型的には、隙間がカバー受けの内周面まで延びている。前者の場合には、前面カバーを透過した光がカバー受けの前記中間部で反射されて前面カバーの外周縁部を背面側から照明することになる。一方、後者の場合、典型的には、前面カバーのうち模様のある領域よりも中央側（内側）の部分を透過した光が前記隙間を通ってカバー受けの前記前面部で反射されて前面カバーの模様を背面側から照明することになる。
【００１２】
隙間がカバー受けの内周面まで延びている場合、前面カバーが平板状でカバー受けの前面部が該平板に対して傾斜するような典型的なときには、カバー受けの内周面の立上り量が小さくなるので、該内周面側から光が入り易くなるだけでなく、該内周面による影が少なくなるから、時計を薄く見せることが可能になる。
【００１３】
なお、この場合、典型的には、カバー受けの前記前面部がカバー受けの径方向に沿って実質的に直線的に傾斜している。ここで、「径方向」とは、時計の時刻表示針の回転中心軸線とカバー受けの外周面とを結ぶ向きを指す。但し、カバー受けは、円形でも、楕円形や多角形など他の形状でもよい。但し、径方向に直線的に傾斜している代わりに、カバー受けの前記前面部がカバー受けの径方向に沿って実質的に直線的に傾斜してカバー受けの前記前面部が前方に対して凹状に又は凸状に湾曲した湾曲面からなっていてももよい。前者の場合には、カバー受けの前面部で反射された反射光が模様に集光され易い。
【００１４】
本発明の時計において、前記隙間がカバー受けの外周面まで延びていてもよく、その場合、典型的には、カバー受けの外周面から内向きに遠ざかるほど前記隙間が小さくなるように、カバー受けの前記前面部が前面カバーの前記背面部に対して傾斜している。この場合、好ましくは、塵埃などが隙間に入るのを避ける周壁が、カバー受けの外周面の外側に、設けられる。ここで、周壁をカバー受けの一部とみなしてもよい。
【００１５】
以上において、前面カバーは、典型的には、前記外周縁部でカバー受けに直接固定されるけれども、所望ならば、前面カバーが、カバー受け以外の部分に固定されてもよい。
【００１６】
本発明の時計では、典型的には、前記カバー受けが時計枠体を兼ねているが、所望ならば、カバー受けと時計枠体は別体でもよい。
【００１７】
本発明の時計では、典型的には、前記模様が、サンドブラスト処理による立体味のある半透光性のデザイン模様である。
【００１８】
なお、ここで、「模様」とは、模様として認識され得るように、前面カバーの一部に施された処理の状態を指す。本発明の時計では、模様は、典型的には、ブラストなどにより前面カバーの表面（典型的には前記背面部）に形成された凹凸すなわち凹凸のパターン乃至模様の形態の彫刻ないしデザイン模様からなる。凹凸模様は、一つ又は複数の色で着色されていていもよい。この場合、凸面は典型的には前面カバーの背面のうち模様の周囲の領域の表面と面一になるけれども、場合によっては、凸面が該周囲の領域の表面に対して突出していてもよい。なお、模様は、凹凸模様の代わりに、インクの印刷層のようにパターン乃至模様の印刷層等であってもよい。また、模様は透光性の有無を問わず、透光性模様、半透光性模様、遮光性模様のいずれか、又は、これらの組み合わせた模様であっても良い。
【発明を実施するための最良の形態】
【００１９】
次に、本発明の好ましい実施の形態のいくつかを添付図面に示した好ましい実施例に基づいて説明する。
【実施例】
【００２０】
図１に示した本発明による好ましい一実施例の掛時計１は、厚さ方向Ａの中央部に機械取付け板１１を有する。機械取付け板１１の背面側には、後枠１２が取付けられている。後枠１２はムーブメント収容部を備え、該収容部にムーブメント１３が収容されている。ムーブメント１３のうち時刻表示針支持軸部１４は、機械取付け板１１の孔から該機械取付け板１１の前面側に突出している。機械取付け板１１の前面側には、文字板１５が配設されている。機械取付け板１１の前面側において、文字板１５の外周縁部上には、カバー受けとしての時計枠体２０が配設されている。時計枠体２０は、止めネジ６３によって、機械取付け板１１に固定されている。時計枠体２０の前面２２には、前面カバーとしてのガラス４０の外周縁部４７が配設・固定されている。文字板１５とガラス４０に挟まれ且つ時計枠体２０によって外周が規定された空間１６内では、基端部において対応する軸部１４に装着された時針や分針や秒針の如き時刻表示針１７が回転し時刻表示を行う。
【００２１】
以上のような掛時計１の時計枠体２０及びガラス４０について、図１の（ａ）及び（ｂ）に加えて、図２の（ａ）に基づいて、更に詳しく説明する。
【００２２】
時計枠体２０は、図１の（ａ）のＩＢ−ＩＢ断面を示す図１の（ｂ）からわかるように、平面形状が楕円形の幅広環状体２１からなり、該環状体２１の前面側表面２２は、径方向内方ほど背面側に位置するようにゆるく傾斜した内側円錐台状面２３と、該内側円錐台状面２３の径方向外側端に連続的に且つ滑らかにつながった径方向延在環状平面２４と、該環状平面２４の径方向外側端に連続的に且つ滑らかにつながり径方向外方ほど背面側に位置するように傾斜した外側円錐台状面２５とを含む。なお、図１の（ａ）に示した例では、Ａ方向に垂直な径方向延在環状平面２４は、後述のボルト挿通孔３５のうち上下のボルト挿通孔３５のある部分のみに形成されており、他の周方向領域では、二つの円錐台状面２３，２５が直接連続的に且つ滑らかにつながっている。
【００２３】
時計枠体２０の前面２２は、例えば、入射光を乱反射ないし拡散反射するように微小な凹凸のある表面からなる。但し、前面２２は、その代わりに、正反射（鏡面反射）を生じさせるような鏡面からなっていてもよい。いずれの場合でも、前面２２は、ある程度反射率の高い面からなり、平均的には正反射の向きに最大の反射光が出る。なお、以上のような表面状態は、前面２２の全体で満たされる代わりに、例えば、内側円錐台状面２３のみ又はその一部（後述のガラス４０の模様部分４３に対面する領域若しくはその一部の領域）のみであってもよい。
【００２４】
環状体２１の内側円錐台状面２３の径方向内側端２６には、環状体２１の内周面２７が連続的につながっている。環状体２１の内側円錐台状面２３が径方向内方ほど背面側に位置するように傾斜していることから、内周面２７のＡ方向の高さＨは、時刻表示針１７の回転領域１６を与える時計枠体２０の最大厚部分のＡ方向の厚さＤと比較して数分の１以下の大きさになっている。
【００２５】
環状体２１の外側円錐台状面２５の径方向外側端２８には、環状体２１の外周面２９が連続的につながっている。この例では、外周面２９は、図１の（ｂ）や図２の（ａ）のような断面で見て、外に凸に湾曲している。
【００２６】
環状体２１は、背面側に、機械取付け板１１を受容する底面３１をなす機械取付け板受容凹部３２を備えると共に、該凹部３２の範囲内に文字板１５を底面３３で受容する文字板受容凹部３４を備える。
【００２７】
環状体２１は、また、この例では周方向の四箇所に、ボルト６１の挿通孔３５を備えると共に、該ボルト６１に螺着されるナット６２の嵌込穴３６を背面側に備える。環状体２１は、更に、機械取付け板１１と時計枠体２０とを固定する止めネジ６３が螺着されるネジ穴３７を周方向の複数箇所に備える。
【００２８】
ガラス４０は、時計枠体２０と実質的に相似形で該時計枠体２０よりも少し小さい楕円形状の厚板のガラスからなる。なお、時刻表示針１７及び文字板１５の文字が視認可能である限り、ガラス４０の材料は、樹脂など他の透明材料でもよい。
【００２９】
ガラス４０の背面４１のうち時計枠体２０の内側円錐台状面２３に対面する領域（すなわちガラス４０の外周縁部４７の背面部）４２には、ブラスト等により半透光性のデザイン模様としての凹凸模様４３が彫刻として施されている。図示の例では、この模様は花や茎や葉等からなるけれども、他の任意の模様でもよい。図１の（ｂ）や図２では、図示の便宜上ＩＢ−ＩＢ断面で見ていることから、模様部分４３の幅が小さく且つ深さ一定の凹部からなるかの如く示されているけれども、模様４３を構成する各部分は、模様のパターンに応じた異なる深さを有する。例えば、花びらの周縁４４は、該花びらの他の部分４５よりも深いか逆に浅い凹部からなる。また、花びらの周縁４４が一定の深さであってもよいけれども、典型的には、周縁４４はその部分によって深さが異なり得る。なお、凹凸模様４３のある部分は、時計枠体２０のうち径方向延在平面部２４に達していてもよい。
【００３０】
ガラス４０は、その背面４１が時計枠体２０の楕円形平面部２４又は内外の円錐台状面２３，２５の境界領域に当接する状態で、ボルト６１及びナット６２により時計枠体２０の固定されて支持されている。その結果、ガラス４０の平面状背面４１と時計枠体２０の内側円錐台状面２３との間には、図１の（ｂ）や図２に示したような断面図で見て、中心軸線Ｃに近づくほど（径方向内側ほど）Ａ方向の幅が大きい楔形の間隙（隙間）Ｇが形成される。
【００３１】
従って、この掛時計１では、図２の（ａ）において符号Ｌａで示したように、ガラス４０の凹凸模様４３が、ガラス４０のうち該凹凸模様４３以外の部分を通って間隙Ｇ内に入り、時計枠体２０の内側円錐台状面２３にあたって該面２３で反射されて該凹凸模様４３にあたる光Ｌａによって背面側から照明され得る。その結果、凹凸模様が時計枠体の対向表面に実際上当接状態にある場合（図４）と比較して、凹凸模様４３が明るく見えることになる。なお、凹凸模様４３の凹凸に起因して、背面側からの照明光Ｌａ１のうち前面側に透過する光Ｌａ２の強度が異なることになるから、模様４３の凹凸に応じた陰影や模様４３の色の分布に応じた色の透過光分布で模様４３が明るく且つ立体感をもって視認され得ることになる。内側円錐台状面２３での反射光は、主として正反射光からなるけれども拡散反射光でもよい。従って、内側円錐台状面２３は、好ましくは、正反射光が凹凸模様４３を背面側から照明し易いような傾斜になるように、選択される。図示した光Ｌａの光路は単なる一例であって、凹凸模様４３を背面側から照明するように内側円錐台状面２３で反射される光の光路である限り、他のどのようなものでもよい。外光Ｌａは、反射光Ｌａ１として凹凸模様４３のある部分を背面側から照明し得る限り、凹凸模様４３の他の部分を透過したものであってもよい。
【００３２】
また、この掛時計１では、図２の（ｂ）において符号Ｌｂで示したように、ガラス４０の凹凸模様４３に当たった外光Ｌｂが、該凹凸模様４３のところを該凹凸模様４３に起因する透過強度パターンで透過し、透過光Ｌｂ１が間隙Ｇを通ってその背後にある内側円錐台状面２３上に投影されて凹凸模様４３に応じた陰影等を有する陰影模様Ｍｂが形成される。従って、時計１を斜めの位置Ｐから眺める観察者には、線Ｑ１に沿って視認される凹凸模様４３に対して少し奥にずれた位置において線Ｑ２に沿って陰影模様Ｍｂが観察される。その結果、陰影模様Ｍｂを随伴する凹凸模様４３は、陰影模様Ｍｂに対して浮き出たように見え、奥行きのある模様すなわち立体感のある模様として、位置Ｐの観察者によって視認され得ることになる。
【００３３】
なお、この例では、透過光Ｌｂ１が比較的大きく拡がるかの如く示されているけれども、例えば、想像線Ｌｃで示したように、ほぼ平行な光線Ｌｃによって該光線Ｌｃに応じた陰影模様が内側円錐台状面２３上に形成される場合でも、間隙Ｇの存在により、斜めの位置Ｐの観察者にとっては、奥行きのある模様が観察され得ることは、同様である。
【００３４】
また、この掛時計１では、時計枠体２０の内周側に内周縁に近づくほど後方に位置する内側円錐台状面２３が形成されているので、内周面２７のＡ方向の高さ（立ち上がり量）Ｈが厚さＤと比較してはるかに小さくなるから、内周面２７による影が短くなり、時計枠体２０が薄く感じられる。
【００３５】
なお、時計枠体２０の前面２２のうち、ガラス４０が凹凸模様４３を備える領域４７に対面する領域ないし部分が、図１の（ｂ）や図２に示したような断面図で見て直線状の母線で規定される円錐台状面２３からなる代わりに、図３の（ａ）で示したように、凹面状に湾曲した円錐台状面２３ａからなっていてもよい。この場合にも、凹凸模様４３と凹面状の円錐台状面２３ａとの間に間隙Ｇが存在するから、図１の（ｂ）及び図２に示した凹凸模様４３と同様に、明るく、立体感をもって視認され得る。また、時計枠体２０の内周側に内周縁に近づくほど後方に位置する内側円錐台状面２３ａにより内周面２７のＡ方向の高さＨが低くなるから、時計枠体２０が薄く感じられる点でも、同様である。なお、この場合、面２３ａが凹面状になっていることから、該面２３ａで反射された反射光が凹凸模様４３のところに集光されやすくなるから、凹凸模様４３がより明るく照明され易い。なお、円錐台状面は、凹面状に湾曲する代わりに凸面状に湾曲していてもよく、直線状、凹面状及び凸面状のうちの二種類又は三種類の面が混在して（組合わさって）いてもよい。
【００３６】
また、凹凸模様は、ガラス４０の背面４１に形成される代わりに、図３の（ｂ）において符号４３ａで示したように、ガラス４０の前面４６に形成されていてもよい。円錐台状面２３が凹凸模様４３ａの背後に位置する限り、この場合にも、図１の（ｂ）及び図２に示した凹凸模様４３と同様に、明るく、立体感をもって視認され得る。勿論、凹凸模様が、ガラス４０のうちのある領域ないし部位ではガラス４０の背面４１にあり、別の領域ないし部位ではガラス４０の前面４６にあってもよい。
【００３７】
更に、半透光性のデザイン模様は、該模様を形成すべく光の透過率ないし透光度に分布（パターン）を備えればよいので、凹凸模様４３の代わりに、図３の（ｃ）に示したような透光度パターンを備えた透光性インクの印刷層４３ｂであってもよい。この場合にも、図１の（ｂ）及び図２に示した凹凸模様４３と同様に、明るく、立体感をもって視認され得る。
【００３８】
また、図３の（ｄ）に示したように、半透光性のデザイン模様、例えば、凹凸模様４３ｃが更に外側の円錐台状面２５ａに対面する位置にも形成されていてもよい。この場合、塵埃等の侵入を防ぐべく、外周に筒状の透光性外周壁７０が更に設けられてもよい。外周壁７０は、時計枠体２０の一部とみなしてもよく、場合によっては、一体に形成されてもよい。面２５ａの径方向の長さが十分に大きい場合には、該周壁７０は透光性でなくてもよい。
【００３９】
以上においては、半透光性のデザイン模様４３，４３ａ，４３ｂ，４３ｃが全周にあるかのごとく説明したけれども、周方向の一部にのみ、半透光性のデザイン模様４３，４３ａ，４３ｂ，４３ｃがあってもよい。また、半透光性のデザイン模様４３，４３ａ，４３ｂ，４３ｃに代え、透光性インクの印刷等により形成した透光性模様、遮光性インクの印刷等により形成した遮光性模様、これらの組合せ模様、又は、これらと半透光性模様との組合せ模様としてもよい。これらの場合においても半透光性のデザイン模様の場合と同様に、模様が立体感を持って視認され得る。
【図面の簡単な説明】
【００４０】
【図１】本発明による好ましい一実施例の掛時計を示したもので、（ａ）は正面説明図（但し、文字板の文字や時刻表示針は示されていない）、（ｂ）は（ａ）のＩＢ−ＩＢ線断面説明図。
【図２】図１の（ｂ）のうち上部の部分における時計枠体とガラスとの関係を拡大して示したもので、（ａ）は凹凸模様が明るく見えることを説明する一部拡大断面説明図、（ｂ）は凹凸模様が立体感を与えるように見えることを説明する（ａ）と同様な一部拡大断面説明図。
【図３】図１の（ｂ）及び図２の変形例を示したもので、（ａ）は凹凸模様がガラスの前面側に形成されている点を除き図２の（ａ）と同様な変形例の一部拡大断面説明図、（ｂ）は時計枠体のうち凹凸模様の背後に位置する部分が凹状に湾曲した面になっている点を除き図２の（ａ）と同様な別の変形例の一部拡大断面説明図、（ｃ）は模様が印刷層からなる点を除き図２の（ａ）と同様な更に別の変形例の一部拡大断面説明図、（ｄ）は外側円錐台状面に対面する位置に模様を有する更に別の変形例の一部拡大断面説明図。
【図４】従来の時計についての図２や図３と同様な一部拡大断面説明図。
【符号の説明】
【００４１】
１  時計
１１  機械取付け板
１２  後枠
１３  ムーブメント
１５  文字板
１７  時刻表示針
２０  時計枠体（カバー受け）
２２  前面
２３  内側円錐台状面
２３ａ  凹面状に湾曲した内側円錐台状面
２４  径方向延在面
２５，２５ａ  外側円錐台状面
４０  ガラス（前面カバー）
４１  背面
４２  外周縁部の背面部分
４３，４３ａ，４３ｃ  凹凸模様
４３ｂ  印刷層
４７  外周縁部
Ｈ  内周面の高さ
【図１】
2005189153.tif 000003
【図２】
2005189153.tif 000004
【図３】
2005189153.tif 000005
【図４】
2005189153.tif 000006